(57)【要約】【課題】異なる周波数が設定されたセル間に生じ得る干渉を抑圧する。【解決手段】基地局は、当該基地局が提供する第１の無線エリアでの上り通信に、複数の第２の無線エリア（Cell #i）での上り通信のいずれかが干渉していることを検出すると、第２の無線エリア（Cell #i）での上り通信の送信電力を第２の無線エリア（Cell #i）毎に順次に変更させて、干渉が低減されるか否かを判定し、干渉が低減されたと判定した変更を維持する。【選択図】図６
2018014566.tif 000002
【特許請求の範囲】
【請求項１】
異なる周波数の複数の無線エリアの１つを提供する第１通信部と、
前記第１通信部が提供する第１の無線エリアでの上り通信に、前記複数の無線エリアのうちの前記第１の無線エリアとは異なる他の複数の第２の無線エリアでの上り通信のいずれかが干渉していることを検出する検出部と、
前記干渉の検出によって、前記複数の第２の無線エリアでの前記上り通信の送信電力が前記第２の無線エリア毎に順次に変更されるように、前記複数の第２の無線エリアを提供する第２通信部を制御する制御部と、を備え、
前記制御部は、
前記送信電力の順次の変更毎に前記干渉が低減されるか否かを判定し、前記干渉が低減されたと判定した変更を維持する、
基地局。
【請求項２】
前記干渉は、前記第２の無線エリアでの上り通信のＮ次（Ｎは自然数）の高調波成分によって生じる干渉である、請求項１に記載の基地局。
【請求項３】
前記制御部は、
前記送信電力の順次の変更を、前記第１の無線エリアでの帯域幅と前記高調波成分の帯域幅との重複量、前記第２の無線エリアの半径、及び、前記高調波成分の次数Ｎに基づいて決定した優先度の順序で実施する、請求項１又は２に記載の基地局。
【請求項４】
前記第２通信部は、
前記送信電力の変更対象である第２の無線エリアに位置する端末のすべてに対して、上り送信電力を変更させる制御信号を送信する、請求項１〜３のいずれか１項に記載の基地局。
【請求項５】
前記制御部は、
前記干渉が低減されないと判定した変更を変更前に戻すように該当する第２通信部を制御する、請求項１〜４のいずれか１項に記載の基地局。
【請求項６】
前記制御部は、
前記干渉のレベルが、第１の閾値よりも低減されたと判定した場合であっても、前記干渉のレベルが、前記第１の閾値よりも小さい第２の閾値を下回る場合に、前記変更を変更前に戻すように該当する第２通信部を制御する、請求項１〜５のいずれか１項に記載の基地局。
【発明の詳細な説明】
【技術分野】
【０００１】
本明細書に記載する技術は、基地局に関する。
【背景技術】
【０００２】
無線通信システムにおいては、近隣のセル間で無線通信の電波干渉が生じることを抑制するために、セル間に異なる無線周波数（以下、単に「周波数」と略称する。）が設定されることがある。
【先行技術文献】
【特許文献】
【０００３】
【特許文献１】特表２０１５−５２３０１４号公報
【特許文献２】国際公開第２０１６／０１３０９３号
【特許文献３】特開２０１３−２５１８５８号公報
【特許文献４】特開２００２−１７１５５７号公報
【発明の概要】
【発明が解決しようとする課題】
【０００４】
しかし、近隣のセル間に異なる周波数が設定されても、無線信号の高調波成分によって干渉が生じることがある。
【０００５】
１つの側面では、本明細書に記載する技術の目的の１つは、異なる周波数が設定されたセル間に生じ得る干渉を抑圧できるようにすることにある。
【課題を解決するための手段】
【０００６】
１つの側面において、基地局は、第１通信部と、検出部と、制御部と、を備えてよい。第１通信部は、異なる周波数の複数の無線エリアの１つを提供してよい。検出部は、前記第１通信部が提供する第１の無線エリアでの上り通信に、前記複数の無線エリアのうちの前記第１の無線エリアとは異なる他の複数の第２の無線エリアでの上り通信のいずれかが干渉していることを検出してよい。制御部は、前記干渉の検出によって、前記複数の第２の無線エリアでの前記上り通信の送信電力が前記第２の無線エリア毎に順次に変更されるように、前記複数の第２の無線エリアを提供する第２通信部を制御してよい。そして、制御部は、前記送信電力の順次の変更毎に前記干渉が低減されるか否かを判定し、前記干渉が低減されたと判定した変更を維持してよい。
【発明の効果】
【０００７】
１つの側面として、異なる周波数が設定されたセル間に生じ得る干渉を抑圧できる。
【図面の簡単な説明】
【０００８】
【図１】一実施形態に係るヘテロジニアスネットワークを用いた無線ネットワークの構成例を示すブロック図である。
【図２】一実施形態に係るネットワーク構成例を示すブロック図である。
【図３】（Ａ）は、干渉源セル波形と被干渉セル波形との関係を模式的に示す図であり、（Ｂ）は、干渉源セル帯域、被干渉セル帯域、及び、干渉源セルの高調波成分帯域の関係を模式的に示す図である。
【図４】一実施形態に係る基地局（被干渉セル）の構成例を示すブロック図である。
【図５】一実施形態に係る基地局（干渉源セル）の構成例を示すブロック図である。
【図６】一実施形態に係る被干渉セルの動作例を示すフローチャートである。
【図７】一実施形態に係る干渉源被疑セルテーブルの一例を示す図である。
【図８】一実施形態に係る干渉源セルの動作例を示すフローチャートである。
【図９】第１実施例に係る干渉源被疑セルテーブルの生成例を示すフローチャートである。
【図１０】第１実施例に係る無線ネットワーク構成例を示すブロック図である。
【図１１】第１実施例に係る干渉源被疑セルテーブル（優先度付け前）の一例を示す図である。
【図１２】（Ａ）〜（Ｃ）は、第１実施例において、被干渉セルの帯域と、干渉源セルの高調波成分帯域と、が重複する態様を模式的に示す図である。
【図１３】第１実施例に係る干渉源被疑セルテーブル（優先度付け後）の一例を示す図である。
【図１４】第２実施例に係る無線ネットワーク構成例を示すブロック図である。
【図１５】第２実施例に係る干渉源被疑セルテーブル（優先度付け前）の一例を示す図である。
【図１６】（Ａ）〜（Ｃ）は、第２実施例において、被干渉セルの帯域と、干渉源セルの高調波成分帯域と、が重複する態様を模式的に示す図である。
【図１７】第１実施例に係る干渉源被疑セルテーブル（優先度付け後）の一例を示す図である。
【図１８】図２及び図１０に例示した基地局（本体）のハードウェア構成例を示すブロック図である。
【図１９】図２、図４、図５、図１０及び図１４に例示した基地局（remote radio head, RRH）のハードウェア構成例を示すブロック図である。
【発明を実施するための形態】
【０００９】
以下、図面を参照して実施の形態を説明する。ただし、以下に説明する実施形態は、あくまでも例示であり、以下に明示しない種々の変形や技術の適用を排除する意図はない。また、以下に説明する各種の例示的態様は、適宜に組み合わせて実施しても構わない。なお、以下の実施形態で用いる図面において、同一符号を付した部分は、特に断らない限り、同一若しくは同様の部分を表す。
【００１０】
近年のスマートフォンやタブレット端末等の普及に伴なうトラフィック増大に対応するために、通信事業者は、「ヘテロジニアスネットワーク」（heterogeneous network）（略して「ＨｅｔＮｅｔ」）を用いて無線ネットワークを構築することがある。
【００１１】
ＨｅｔＮｅｔは、携帯電話技術の標準化団体である３ＧＰＰ（3rd generation partnership project）が策定した仕様「3GPP release 10」に盛り込まれた技術の１つである。
【００１２】
ＨｅｔＮｅｔでは、或る無線エリアに、当該無線エリアよりも狭い他の無線エリアがオーバーレイ配置される。例えば、マクロセル（「ラージセル」と称されてもよい。）に、スモールセルがオーバーレイ配置されてよい。
【００１３】
なお、「無線エリア」は、「セル」、「カバレッジエリア」、「通信エリア」、「サービスエリア」等と称されてもよい。「セル」は「セクタセル」に分割されてもよい。「セクタセル」は、単に「セクタ」と略称してよい。ＨｅｔＮｅｔ構成を適用した無線通信システムにおいては、セル間には異なる周波数が設定され、セクタセル間には同じ周波数が設定されてよい。
【００１４】
スモールセルは、カバレッジに応じて呼称が異なってよい。例えば、スモールセルは、「フェムトセル」、「ピコセル」、「マイクロセル」、「ナノセル」、「メトロセル」、「ホームセル」等と称されることがある。
【００１５】
マクロセルを提供する基地局は、「マクロ基地局」と称されることがあり、スモールセルを提供する基地局は、「スモール基地局」と称されることがある。
【００１６】
基地局は、例示的に、３ＧＰＰのlong term evolution（ＬＴＥ）やＬＴＥ−Ａｄｖａｎｃｅｄに準拠した「ｅＮＢ」であってよい。なお、ＬＴＥとＬＴＥ−Ａｄｖａｎｃｅｄとを区別しない場合には、両者を「ＬＴＥ」と便宜的に総称することがある。「ｅＮＢ」は、「evolved Node B」の略称である。
【００１７】
したがって、マクロ基地局は、マクロｅＮＢと称されてもよく、スモール基地局は、スモールｅＮＢと称されてもよい。
【００１８】
スモールｅＮＢには、提供するセルのカバレッジの呼称に応じて、フェムトｅＮＢや、ピコｅＮＢ、マイクロｅＮＢ、ナノｅＮＢ、メトロｅＮＢ、あるいは、ホームｅＮＢ（ＨｅＮＢ）が該当してよい。
【００１９】
remote radio equipment（ＲＲＥ）やremote radio head（ＲＲＨ）等と称される、基地局本体から分離して配置された通信ポイントが、スモールｅＮＢに該当してよい。また、スモール基地局は、ＬＴＥのリレーノード（relay node, RN）に該当してもよい。
【００２０】
なお、「セル」又は「セクタ」という用語は、基地局が無線サービスを提供する個々の地理的範囲を意味する他、その個々の地理的範囲において無線機器と通信を行なうために基地局が管理する通信機能の一部をも意味してよい。
【００２１】
例えば、「基地局がセル（又はセクタ）内に位置する無線機器と通信する」ことは、「セル（又はセクタ）が無線機器と通信する」こと、と言い換えられてもよい。
【００２２】
「無線機器」には、スマートフォンやタブレット端末等を含む、無線通信機能を有する端末（無線端末）が含まれてよい。「無線端末」は、固定端末であってもよいし、移動が可能な端末（「移動機」と称してもよい。）であってもよい。
【００２３】
非限定的な一例として、無線端末は、スマートフォンやタブレット端末等のＵＥであってよい。「ＵＥ」は、「User Equipment」の略称である。なお、スマートメータ等と称される、無線通信機能を備えたメータやセンサ等がＵＥに該当してもよい。
【００２４】
ＨｅｔＮｅｔでは、マクロセルとスモールセルとが協調してＵＥと通信することで、ネットワーク全体の容量（キャパシティ）を改善することができる。したがって、スマートフォンやタブレット端末等の普及に伴なう通信トラフィック増大に対応することが可能になる。
【００２５】
図１に、ＨｅｔＮｅｔを用いた無線ネットワーク１の一例を示す。なお、無線ネットワーク１は、無線通信システム１と称してもよい。
【００２６】
図１に例示する無線ネットワーク１は、マクロセル１０１と、マクロセル１０１にオーバーレイ配置されたスモールセル１０２〜１０５と、を備える。スモールセル１０２は、例示的に、ピコセルであり、スモールセル１０４及び１０５は、例示的に、フェムトセルである。
【００２７】
マクロセル１０１は、例示的に、半径が数百ｍから数ｋｍ程度のカバレッジを有する。ピコセル１０２やスモールセル１０３は、例示的に、半径が数メートルから数十メートル程度のカバレッジを有し、マクロセル１０１の電波が届きにくいエリアを補完するために配置される。
【００２８】
例えば、ビル内や地下街等の屋内にピコセル１０２が配置され、都市部の建物の間等の電波の届きにくい屋外にスモールセル１０３が配置されてよい。
【００２９】
フェムトセル１０４及び１０５は、例示的に、ピコセル１０２よりも更に狭いカバレッジを有し、例えば、ビル等の建物の室内に配置されてよい。
【００３０】
図１に例示するように、マクロセル１０１、ピコセル１０２、及び、スモールセル１０３は、コアネットワークと通信可能に接続されてよい。フェムトセル１０４及び１０５は、インターネットのＩＰ（Internet Protocol）接続経由でコアネットワークと通信可能に接続されてよい。
【００３１】
コアネットワークは、evolved packet core（ＥＰＣ）と称されてもよい。コアネットワークには、例示的に、ＭＭＥ、ＰＧＷ、及び、ＰＧＷが備えられてよい。「ＭＭＥ」は、「Mobility Management Entity」の略称である。「ＰＧＷ」は、「Packet Data Network Gateway」の略称であり、「ＳＧＷ」は、「Serving Gateway」の略称である。
【００３２】
ＭＭＥは、ネットワーク制御に関する制御プレーン（C-plane）の信号（「制御信号」と称してよい。）を処理するエンティティであり、例示的に、ＵＥの位置情報を管理する。
【００３３】
ＳＧＷは、ユーザプレーン（U-plane）の信号（例えば、ユーザパケット）を処理するエンティティである。ユーザパケットは、ユーザデータを含むパケットデータである。ＳＧＷは、ＭＭＥで管理されている位置情報を基に、例えば、ＵＥの地理的な移動に応じた移動制御を実施してよい。移動制御には、ＵＥの移動に伴う、ユーザデータのパス切り替えやハンドオーバ（ＨＯ）に関する制御が含まれてよい。
【００３４】
ＰＧＷは、インターネットやイントラネット等の外部のパケットデータネットワーク（ＰＤＮ）との接続を可能にするゲートウェイである。
【００３５】
ＰＧＷとＳＧＷとは、例えばＳ５インタフェースによって互いに通信可能に接続されてよい。Ｓ５インタフェースは、コアノード間の接続インタフェースの一例である。
【００３６】
ＭＭＥとＳＧＷとは、例えばＳ１１インタフェースによって互いに通信可能に接続されてよい。Ｓ１１インタフェースは、Ｓ５インタフェースと同様に、コアノード間の接続インタフェースの一例である。
【００３７】
コアネットワークは、セル１０１〜１０５の「上位ネットワーク」に相当すると捉えてよい。ＭＭＥ、ＰＧＷ、及び、ＳＧＷは、コアネットワークのエレメント（ＮＥ）あるいはエンティティに相当すると捉えてよく、「コアノード」と総称してよい。
【００３８】
「コアノード」は、セル１０１〜１０５の「上位ノード」に相当すると捉えてもよい。なお、コアネットワークには、ＭＭＥ、ＰＧＷ、及び、ＰＧＷとは異なる他のエレメントやエンティティが含まれても構わない。
【００３９】
マクロセル１０１は、例示的に、ＭＭＥ及びＳＧＷと通信可能に接続されてよい。マクロセル１０１と、ＭＭＥ及びＳＧＷと、の間は、例えば、Ｓ１インタフェースによって通信可能に接続されてよい。Ｓ１インタフェースは、セル−コアノード間の接続インタフェースの一例である。
【００４０】
ＰＧＷ及びＳＧＷを介して、セル１０１〜１０５のいずれかに位置するＵＥと、ＰＤＮと、の間でユーザパケットの送受信が可能である。
【００４１】
なお、セル間は、例えば、Ｘ２インタフェースによって通信可能に接続されてよい。Ｘ２インタフェースは、基地局間インタフェースの一例である。
【００４２】
また、図１において、フェムトセル１０４は、例示的に、ＨｅＮＢゲートウェイ（ＨｅＮＢ−ＧＷ）経由で、ＭＭＥ及びＳＧＷに接続が可能な「オープンＨｅＮＢ」であってよい。
【００４３】
一方、フェムトセル１０５は、ＨｅＮＢ−ＧＷを経由する通信モードと経由しない通信モードとのハイブリッドモードで、ＭＭＥ及びＳＧＷに接続が可能な「ハイブリッドＨｅＮＢ」であってよい。
【００４４】
ところで、ＨｅｔＮｅｔの導入により、セル半径や中心周波数の異なるセルが同一エリアに混在するケースが増えつつある。異なる送信電力のセルを近接して設置すると、中心周波数の異なるセル間でも電波干渉が生じ得る。
【００４５】
ＬＴＥ−Ａｄｖａｎｃｅｄでは、ＵＥとの通信に時分割複信（time division duplex, TDD）方式の導入を開始している。ＴＤＤ方式の導入に伴い、例えば図２に示すようなネットワーク構成が検討されている。
【００４６】
図２に例示するネットワーク構成は、例示的に、インターネット２０１、コアネットワーク２０２、及び、無線アクセスネットワーク２０３を備える。なお、符号２０７及び２０８は、無線機器の一例であるＵＥを表す。
【００４７】
無線アクセスネットワーク２０３には、例示的に、基地局本体２０４と、基地局本体２０４から分離して配置された複数の通信ポイント２０５及び２０６と、が備えられてよい。
【００４８】
各通信ポイント２０５及び２０６は、スモールセルを提供してよい。そのため、「通信ポイント」を便宜的に「スモールセル」あるいは単に「セル」と称することがある。
【００４９】
基地局本体２０４と各セル２０５及び２０６とは、例示的に、光ケーブルによって通信可能に接続されてよい。各セル２０５及び２０６は、「張り出し基地局」と称されてもよい。
【００５０】
例えば、ＲＲＥやＲＲＨ、あるいはＳＲＥが、張り出し基地局２０５又は２０６に該当してよい。なお、ＳＲＥは、「small radio equipment」の略称であり、スモール基地局の一例である。
【００５１】
基地局本体２０４は、ＢＤＥやＣ−ＢＢＵと称されてもよい。「ＢＤＥ」は、「baseband digital equipment」の略称であり、「Ｃ−ＢＢＵ」は、「centralized baseband unit」の略称である。ＢＤＥ又はＣ−ＢＢＵは、各セル２０５及び２０６との間で伝送される信号のベースバンド処理を行なう。
【００５２】
基地局本体２０４、並びに、張り出し基地局２０５及び２０６は、いずれも、無線エリアを提供する「基地局」に相当すると捉えてよい。また、基地局本体２０４と、張り出し基地局２０５又は２０６と、は、便宜的に、「基地局装置」あるいは「基地局設備」と総称されてよい。したがって、図２に例示した無線アクセスネットワーク２０３は、「基地局装置２０３」と言い換えてもよい。
【００５３】
セル２０５とセル２０６とは、無線信号の中心周波数が互いに異なっていてよい。例えば、ＲＲＥは、既存のＬＴＥにおける張り出し基地局に相当し、ＲＲＥが提供するセル２０５の中心周波数としては、８００ＭＨｚ帯、１．７ＧＨｚ帯、２ＧＨｚ帯、２．１ＧＨｚ帯等が利用可能である。
【００５４】
ＳＲＥは、ＬＴＥ−Ａｄｖａｎｃｅｄにおける張り出し基地局に相当し、例えば、ＬＴＥでの既存の張り出し基地局２０５に対して追加導入（アドオン）することが可能である。
【００５５】
ＳＲＥが提供するセル２０６の中心周波数としては、例示的に、既存セル２０５の中心周波数よりも高い３．５ＧＨｚ帯の利用が検討されている。３．５ＧＨｚ帯のセル２０６を１つ又は複数アドオンすることで、無線ネットワークにおいて利用可能な無線リソースを拡張できる。
【００５６】
なお、図１に例示するように、既存セル２０５においては、周波数分割複信（frequency division duplex, FDD）方式による通信が実施されてよく、追加（アドオン）セル２０６においては、ＴＤＤ方式による通信が実施されてよい。そのため、便宜的に、既存セル２０５を「ＦＤＤセル２０５」と称し、アドオンセル２０６を「ＴＤＤセル２０６」と称することがある。
【００５７】
例えば、ＵＥ２０７は、ＴＤＤセル２０６においてＴＤＤ方式で通信を行ない、ＵＥ２０８は、ＦＤＤセル２０５においてＦＤＤ方式で通信を行なってよい。
【００５８】
ＴＤＤセル２０６は、ＦＤＤセル２０５の中心周波数よりも高い中心周波数であるため、無線電波の波長がＦＤＤセル２０５よりも短く、ＦＤＤセル２０５よりも小さいセル半径で運用される。
【００５９】
そのため、ＴＤＤセル２０６は、既存のＦＤＤセル２０５の配下やＦＤＤセル２０５の近隣エリアに配置されることがある。この場合、中心周波数が異なっていても、既存セル２０５とアドオンセル２０６との間の電波干渉が問題になり得る。例えば、異なる中心周波数のセル２０５及び２０６間であっても、一方の無線電波の高調波成分が他方の無線電波に干渉し得る。
【００６０】
例えば、２つのセル２０５及び２０６の中心周波数が下記の数式１で表わされる関係（「高調波干渉条件」と称してもよい。）を満たしている場合、Ｎ次（Ｎは自然数）の高調波成分による干渉が生じ得る。
【００６１】
【数１】
2018014566.tif 000003
なお、「ｆＡ」はセル２０６の中心周波数を表し、「ｆＢ」はセル２０５の中心周波数を表し、「Δ」はセル２０６に対する干渉源となるセル２０５の帯域幅を表す。
【００６２】
図３（Ａ）及び図３（Ｂ）に、上述のような干渉が発生する仕組みを、無線信号の波形とスペクトルとに着目して例示する。
【００６３】
ここで、セル２０５の中心周波数（ｆＢ）は１．７ＧＨｚであり帯域幅（Δ）は１０ＭＨｚ、セル２０６の中心周波数（ｆＡ）は３．５ＧＨｚであり帯域幅（Δ）は１０ＭＨｚであると仮定する。
【００６４】
この場合、Ｎ＝２において数式１の関係が満たされるから、図３（Ｂ）に模式的に例示するように、セル２０５における無線信号の２次高調波成分のスペクトルが、セル２０６における無線信号のスペクトルにオーバーラップする。
【００６５】
そのため、図３（Ａ）に模式的に例示するように、干渉源セル２０５における無線信号の波形（干渉源セル波形）４０１の２次高調波成分が、被干渉セル２０６における無線信号の波形（被干渉セル波形）４０２に干渉して合成される。その結果、被干渉セル波形４０２が本来の波形４０２から乱れた波形４０３になる。
【００６６】
セル２０６の近傍に複数のセル２０５が配置されている場合、複数のセル２０５のうち、いずれか１つでも数式１の関係を満たすセル２０５が存在すると、当該セル２０５は、セル２０６の干渉源セルになり得る。
【００６７】
なお、被干渉セル２０６は、他のセル２０５の高調波成分による干渉を受ける可能性がある第１の無線エリアに相当すると捉えてよい。また、１つ以上の干渉源セル２０５は、他の１つ以上のセル２０６に高調波成分による干渉を与える可能性がある第２の無線エリアに相当すると捉えてよい。
【００６８】
被干渉セル２０６が干渉源セル２０５からＮ次高調波成分による干渉を受けると、セル２０６における例えばレイヤ１（Ｌ１）の制御信号やユーザデータの伝送品質が低下し得る。伝送品質が低下すると、セル２０６における通信品質（例えば、スループット等）が低下し得る。
【００６９】
なお、レイヤ１の制御信号の一例は、物理上りシェアドチャネル（physical uplink shared channel, PUSCH）の信号や、物理上り制御チャネル（physical uplink shared channel, PUCCH）の信号である。ユーザデータは、例えば、物理下りシェアドチャネル（physical downlink shared channel）にて伝送される。
【００７０】
以下に説明する実施形態では、例えば前掲の数式１で表わされる、セル間の高調波成分の関係を考慮して、ＵＥの送信電力制御を行なうことで、被干渉セルでの通信品質の低下を抑止あるいは抑圧する例について説明する。
【００７１】
ＵＥの送信電力制御は、例示的に、transmission power control（ＴＰＣ）コマンドの制御に用いられる目標ＳＩＲを補正することによって実施されてよい。「ＳＩＲ」は、信号対干渉比「signal to interference ratio」の略称であり、セルにおける通信品質の指標の一例である。ＴＰＣコマンドは、上り送信電力を制御する制御信号の一例である。
【００７２】
（被干渉セル及び干渉源セルの構成例）
図４に、被干渉セルを提供する張り出し基地局７００の構成例を示し、図５に、干渉源セルを提供する張り出し基地局９００の構成例を示す。
【００７３】
（被干渉セルの構成例）
図４に例示するように、張り出し基地局（被干渉セル）７００は、無線（ＲＦ）送受信部７０１、送信部７０２、受信部７０３、ネットワーク終端部７０４、無線リソース割当部７０５、アンテナ７０９、及び、アンテナ共用器７１０を備えてよい。また、被干渉セル７００は、周辺セル情報収集部７０６、セル補正制御部７０７、及び、セル内干渉監視部７０８を備えてよい。
【００７４】
アンテナ７０９、アンテナ共用器７１０、及び、ＲＦ送受信部７０１によって、ＵＥとの無線通信が行なわれる。
【００７５】
アンテナ７０９は、ＲＦ送受信部７０１からアンテナ共用器７１０を介して入力された無線信号を空間へ送信し、また、空間から受信した無線信号を、アンテナ共用器７１０を介してＲＦ送受信部７０１に入力する。
【００７６】
ＲＦ送受信部７０１は、送信部７０２から入力された下り（downlink, DL）の送信信号であるベースバンド信号を無線信号にアップコンバートしてアンテナ共用器７１０を介してアンテナ７０９へ出力する。また、ＲＦ送受信部７０１は、アンテナ７０９で受信されアンテナ共用器７１０から入力された上り（uplink, UL）の無線信号をベースバンド信号にダウンコンバートして受信部７０３へ出力する。
【００７７】
送信部７０２は、ネットワーク終端部７０４から入力されたＤＬの送信ベースバンド信号に所定の送信処理を施してＲＦ送受信部７０１へ出力する。送信処理には、例示的に、ＤＬの送信ベースバンド信号を、無線リソース割当部７０５によって割り当てられた無線リソースにマッピングする処理が含まれてよい。
【００７８】
受信部７０３は、ＲＦ送受信部７０１から入力された受信信号であるベースバンド信号に所定の受信処理を施してネットワーク終端部７０４へ出力する。受信処理には、例示的に、無線リソースから受信信号をデマッピングする処理が含まれてよい。
【００７９】
ＲＦ送受信部７０１、送信部７０２、及び、受信部７０３は、異なる周波数の複数のセルの１つを提供する第１通信部の一例であると捉えてよい。
【００８０】
ネットワーク終端部７０４は、例えばコアネットワーク２０２や他のセルとの接続を提供する。他のセルには、図５に例示する、干渉源セルを提供する張り出し基地局９００が含まれてよい。コアネットワーク２０２との接続には、Ｓ１インタフェースが適用可能であり、他のセルとの接続には、Ｘ２インタフェースが適用可能である。
【００８１】
無線リソース割当部７０５は、「スケジューラ」とも称され、ＵＥとのＤＬ及びＵＬの通信に用いる無線リソースの割り当てを管理、制御する。無線リソースの割り当てを管理、制御することは、「スケジューリング」と称されてもよい。
【００８２】
周辺セル情報収集部７０６は、例示的に、被干渉セル７００の周辺に位置する１つ又は複数の他のセル（「周辺セル」と称してよい。）の情報を、例えばネットワーク終端部７０４を介して収集する。
【００８３】
収集する周辺セルの情報（「周辺セル情報」と略称してよい。）は、例示的に、中心周波数及び帯域幅に関する情報であってよい。収集のタイミングは、予め決められたタイミングでよく、周期的でもよいし非周期的でもよい。
【００８４】
セル補正制御部７０７は、例示的に、周辺セル情報収集部７０６によって収集された全周辺セルの情報に基づいて、前掲の数式１で表わされる関係が満たされて、高調波成分による干渉源となり得る周辺セル（「干渉源被疑セル」と称してもよい。）を識別する。
【００８５】
識別した結果は、例示的に、テーブル形式のデータ（「テーブルデータ」又は単に「テーブル」と称してよい。）に整理されてよい。当該テーブルにおいて、干渉源被疑セルは、何らかのルールに従って並び替え（別言すると、ソート）されてよい。
【００８６】
ソートのルールは、例示的に、干渉被疑の高い順あるいは低い順を示す優先度であってよい。干渉被疑が高い（又は低い）ことは、高調波成分による干渉の発生確率が高い（又は低い）ことと捉えてよい。ソートのルール（例えば、優先度）の具体的な決定、設定例については後述する。
【００８７】
セル補正制御部７０７は、干渉源被疑セルのテーブルに基づいて、ソート順序に従って干渉源被疑セル宛に干渉抑圧制御信号を発行してよい。干渉抑圧制御信号は、例示的に、周辺情報収集部７０６を介して、あるいは介さずに、ネットワーク終端部７０４から干渉源被疑セルへ送信されてよい。
【００８８】
セル補正制御部７０７は、干渉の検出によって、干渉源被疑セルでの上り通信の送信電力が干渉源被疑セル毎に順次に変更されるように、干渉源被疑セルを提供する第２通信部９０１〜９０３（図５により後述。）を制御する制御部の一例と捉えてよい。当該制御は、便宜的に、「干渉抑圧制御」と称してもよい。
【００８９】
セル内干渉監視部７０８は、例示的に、受信部７０３における受信信号の干渉レベル［ｄＢ］を周期的又は非周期的に測定し、測定した干渉レベルが第１の閾値を超えているか否かを判定する。
【００９０】
セル内干渉監視部７０８は、被干渉セル７００での上り通信に、被干渉セル７００とは異なる他の複数のセルでの上り通信のいずれかが干渉していることを検出する検出部の一例であると捉えてよい。
【００９１】
セル内干渉監視部７０８は、測定した干渉レベルが第１の閾値を超えていると、セル補正制御部７０７に、干渉抑圧制御信号の発行を指示してよい。干渉抑圧制御信号には、例示的に、１ビットのＵＬ制御フラグ（FlagCntUL）で表わされるパラメータが含められてよい。
【００９２】
例示的に、「FlagCntUL = 1」で、目標ＳＩＲを補正する指示であることを表示し、「FlagCntUL = 0」で、目標ＳＩＲを補正前の値に戻す指示であることを表示する設定としてよい。
【００９３】
（干渉源セルの構成例）
一方、図５に示す、干渉源セル（別言すると、干渉源被疑セル）の張り出し基地局９００は、ＲＦ送受信部９０１、送信部９０２、受信部９０３、ネットワーク終端部９０４、無線リソース割当部９０５、アンテナ９０９、及び、アンテナ共用器９１０を備えてよい。また、張り出し基地局９００は、ＴＰＣコマンド計算部９０６、セル補正制御部９０７を備えてよい。
【００９４】
アンテナ９０９、アンテナ共用器９１０、及び、ＲＦ送受信部９０１によって、ＵＥとの無線通信が行なわれる。
【００９５】
アンテナ９０９は、ＲＦ送受信部９０１からアンテナ共用器９１０を介して入力された無線信号を空間へ送信し、また、空間から受信した無線信号を、アンテナ共用器９１０を介してＲＦ送受信部９０１に入力する。
【００９６】
ＲＦ送受信部９０１は、送信部７０２から入力されたＤＬの送信信号であるベースバンド信号を無線信号にアップコンバートしてアンテナ共用器９１０を介してアンテナ９０９へ出力する。また、ＲＦ送受信部９０１は、アンテナ９０９で受信されアンテナ共用器９１０から入力されたＵＬの無線信号をベースバンド信号にダウンコンバートして受信部９０３へ出力する。
【００９７】
送信部９０２は、ネットワーク終端部９０４から入力されたＤＬの送信ベースバンド信号に所定の送信処理を施してＲＦ送受信部９０１へ出力する。送信処理には、例示的に、ＤＬの送信ベースバンド信号を、無線リソース割当部９０５によって割り当てられた無線リソースにマッピングする処理が含まれてよい。
【００９８】
受信部９０３は、ＲＦ送受信部９０１から入力された受信信号であるベースバンド信号に所定の受信処理を施してネットワーク終端部９０４へ出力する。受信処理には、例示的に、無線リソースから受信信号をデマッピングする処理が含まれてよい。
【００９９】
ＲＦ送受信部９０１、送信部９０２、及び、受信部９０３は、被干渉セルにとっての干渉源被疑セルを提供する第２通信部の一例と捉えてよい。
【０１００】
ネットワーク終端部９０４は、例えばコアネットワーク２０２や他のセルとの接続を提供する。他のセルには、図４に例示した、被干渉セルを提供する張り出し基地局７００が含まれてよい。コアネットワーク２０２との接続には、Ｓ１インタフェースが適用可能であり、他のセルとの接続には、Ｘ２インタフェースが適用可能である。
【０１０１】
無線リソース割当部（スケジューラ）９０５は、ＵＥとのＤＬ及びＵＬの通信に用いる無線リソースの割り当てを管理、制御する。
【０１０２】
ＴＰＣコマンド計算部９０６は、例示的に、目標ＳＩＲを基に、干渉源セル９００に接続しているＵＥ宛に送信するＴＰＣコマンドを計算、決定する。
【０１０３】
セル補正制御部９０７は、被干渉セルを提供する張り出し基地局７００からネットワーク終端部９０４を介して受信した干渉抑圧制御信号に従って、ＴＰＣコマンドの計算、決定に用いられる目標ＳＩＲを補正する。
【０１０４】
（動作例）
以下、上述した構成を有する被干渉セル７００及び干渉源セル９００に着目した、無線通信システム１の動作例について、図６〜図８を参照して説明する。なお、以下の説明において、被干渉セル７００は、図２のセル２０６に対応し、干渉源セル９００は、図２のセル２０５に対応する、と捉えてよい。
【０１０５】
図６は、被干渉セル７００の動作例を示すフローチャートであり、図８は、干渉源セル９００の動作例を示すフローチャートである。
【０１０６】
図６に例示するように、被干渉セル７００は、例えば周辺セル情報収集部７０６によって、Ｘ２インタフェースを通じて周辺セル情報を収集する（処理６０１）。
【０１０７】
周辺セルが、被干渉セル７００の属するＣ−ＢＢＵ２０４（図２参照）と同じＣ−ＢＢＵ２０４に属する場合、周辺セル情報収集部７０６は、周辺セルの増設や変更がある度に、周辺セル情報の収集を実施してよい。
【０１０８】
周辺セルが、被干渉セル７００の属するＣ−ＢＢＵ２０４と同じＣ−ＢＢＵ２０４に属していない場合、周辺セル情報収集部７０６は、ＨＯ情報の把握に用いられる近隣セルリスト（neighbor cell list）に基づいて、周辺セル情報の収集を実施してよい。
【０１０９】
近隣セルリストは、現在、被干渉セル７００の近隣セルをリストアップした情報であり、近隣セルの増設や変更がある度に、最新の情報に更新される。したがって、被干渉セル７００の周辺セル情報収集部７０６は、近隣セルリストが更新されるタイミングで、周辺セル情報を収集してよい。
【０１１０】
周辺セル情報収集部７０６は、収集した周辺セル情報を基に、例えば前掲の数式１で表わされる高調波干渉条件を満たす周辺セルをリストアップしてテーブルに保存してよい。当該テーブルは、「周辺セルテーブル（又はリスト）」あるいは「干渉源被疑セルテーブル（又はリスト）」と称してもよい。
【０１１１】
干渉源被疑セルのリストアップは、例えば、干渉被疑の高い周辺セルの順序で処理や制御を実施するために、干渉被疑の高い周辺セルの順序で行なわれてよい。したがって、干渉源被疑セルをリストアップすることには、干渉源被疑セルに対する処理や制御の優先度を決定する制御が含まれると捉えてよい。
【０１１２】
図７に、干渉源被疑セルテーブルの一例を示す。図７に例示するように、干渉源被疑セルテーブルには、非限定的な一例として、干渉源被疑セルの識別子（ＩＤ）、中心周波数、及び、帯域幅の情報が登録されてよい。干渉源被疑セルのＩＤは、セルがセクタに分割されている場合、セクタＩＤであってもよい。図７において、「項番」が優先度を示し、例えば「項番」が小さいほど、優先度が高いことを示す。なお、干渉源被疑セルテーブルの具体的な生成例については、後述する。
【０１１３】
次に、図６に例示するように、被干渉セル７００は、例えばセル内干渉監視部７０８によって、被干渉セル７００でのＵＬの干渉レベルを測定し（処理６０２）、ＵＬの干渉レベルが第１の閾値ＴＨ１［ｄＢ］を超えているか否かをチェックする（処理６０３）。
【０１１４】
被干渉セル７００でのＵＬの干渉レベルが閾値ＴＨ１を超えていなければ（処理６０３でＮＯ）、被干渉セル７００は、処理Ｐ６０２へ戻ってＵＬの干渉レベルの監視を継続してよい。
【０１１５】
一方、被干渉セル７００でのＵＬの干渉レベルが閾値ＴＨ１を超えた場合（処理６０３でＹＥＳ）、セル内干渉監視部７０８は、セル補正制御部７０７に、干渉抑圧制御の対象セルを初期化するように指示してよい。
【０１１６】
セル補正制御部７０７は、セル内干渉監視部７０８から初期化の指示を受けると、例えば図７に例示した干渉源被疑セルテーブルにおいて優先度を示す項番ｉ（ｉは０以上の整数）をｉ＝０に初期化してよい（処理６０４）。
【０１１７】
初期化に応じて、セル補正制御部７０７は、干渉源被疑セルテーブルの項番ｉに対応する干渉源被疑セル９００宛に、目標ＳＩＲを下げることを示すＵＬ制御フラグ「FlagCntUL=1」を含む干渉抑圧制御信号を生成して送信してよい（処理６０５）。
【０１１８】
干渉源被疑セル９００は、被干渉セル７００から干渉抑圧制御信号を受信すると、干渉抑圧制御信号に含まれるＵＬ制御フラグに基づいて、目標ＳＩＲの補正を行なう（処理６０６、図８参照）。
【０１１９】
例えば、干渉源被疑セル９００において、干渉抑圧制御信号は、セル補正制御部９０７にて受信される。セル補正制御部９０７は、図８に例示するように、被干渉セル７００から受信した干渉抑圧制御信号に含まれるＵＬ制御フラグが「１」であるか否かをチェックしてよい（処理８０１）。
【０１２０】
「FlagCntUL=1」であれば（処理８０１でＹＥＳ）、セル補正制御部９０７は、目標ＳＩＲを現在の値から下げるように補正してよい（処理８０２）。例えば、セル補正制御部９０７は、現在の目標ＳＩＲから所定の補正値（ＳＩＲｒｅｆ）を減算してよい。
【０１２１】
一方、「FlagCntUL=0」の場合（処理８０１でＮＯ）、セル補正制御部９０７は、目標ＳＩＲを補正前の値に戻してよい（処理８０３）。なお、目標ＳＩＲが補正されていなければ、セル補正制御部９０７は、目標ＳＩＲを現在の値に維持してよい。
【０１２２】
処理８０２又は処理８０３の後、干渉源被疑セル９００は、例えばＴＰＣコマンド計算部９０６によって、目標ＳＩＲと及び現在のＳＩＲとを比較して、現在のＳＩＲが目標ＳＩＲよりも小さいか否かをチェックしてよい（処理８０４）。
【０１２３】
現在のＳＩＲが目標ＳＩＲ以上であれば（処理８０４でＮＯ）、ＴＰＣコマンド計算部９０６は、ＵＬの送信電力を下げるようにＴＰＣコマンドを決定してよい（処理８０５）。
【０１２４】
一方、現在のＳＩＲが目標ＳＩＲよりも小さければ（処理８０４でＹＥＳ）、ＴＰＣコマンド計算部９０６は、ＵＬの送信電力を上げるようにＴＰＣコマンドを決定してよい（処理８０６）。
【０１２５】
その後、ＴＰＣコマンド計算部９０６は、処理８０５又は処理８０６で決定したＴＰＣコマンドを、送信電力の変更対象である干渉源被疑セル９００に接続している全ＵＥ宛に送信してよい（処理８０７）。ＴＰＣコマンドの送信には、例示的に、ＰＤＣＣＨが用いられてよい。
【０１２６】
干渉源被疑セル９００に接続しているＵＥは、受信したＴＰＣコマンドに従って、ＵＬの送信電力制御を行なう（処理８０８）。干渉源被疑セル９００は、ＴＰＣコマンドを干渉源被疑セル９００に接続している全ＵＥ宛に送信することで、被干渉セル７００に対する干渉源となり得るＵＥを特定する必要がない。
【０１２７】
図６に戻り、被干渉セル７００は、処理６０５で干渉抑圧制御信号を送信した後、例えばセル内干渉監視部７０８によって、再度、被干渉セル７００でのＵＬの干渉レベルを測定して（処理６０７）、第１の閾値ＴＨ１との比較を行なってよい（処理６０８）。
【０１２８】
測定した干渉レベルが第１の閾値よりも大きければ（処理６０８でＹＥＳ）、セル補正制御部７０７は、干渉源被疑セル９００に接続しているＵＥが干渉源ではないと判定してよい。
【０１２９】
別言すると、セル補正制御部７０７は、干渉源被疑セル９００向けの処理６０５が有効でなかったと判定してよい。当該判定に応じて、セル補正制御部７０７は、干渉源被疑セル９００宛に、目標ＳＩＲの補正処理を停止する指示を送信してよい（処理６０９）。
【０１３０】
例えば、セル補正制御部７０７は、目標ＳＩＲを補正前の値に戻すことを示す「FlagCntUL=0」を含む干渉抑圧制御信号を生成して干渉源被疑セル９００宛に送信してよい。
【０１３１】
「FlagCntUL=0」を含む干渉抑圧制御信号を受信した干渉源被疑セル９００は、図８に例示した処理８０３にて目標ＳＩＲを補正前の値に戻した上で、処理８０４以降の処理を実施することになる（図６の処理６１０）。
【０１３２】
干渉抑圧制御信号の送信後、セル補正制御部７０７は、干渉源被疑セルテーブル（図７参照）から、次の制御対象セルを選定するために、項番ｉを１つカウントアップ（インクリメント）して（処理６１１）、処理６０５へ戻ってよい。
【０１３３】
処理６０８において、測定したＵＬの干渉レベルが第１の閾値以下であれば（ＮＯ）、セル補正制御部７０７は、測定したＵＬの干渉レベルを第２の閾値ＴＨ２［ｄＢ］と比較してよい（処理６１２）。第２の閾値ＴＨ２は、例示的に、第１の閾値ＴＨ１よりも小さくてよい。
【０１３４】
測定したＵＬの干渉レベルが第２の閾値ＴＨ２を下回れば（処理６１２でＹＥＳ）、セル補正制御部７０７は、干渉源被疑セル９００宛に、「FlagCntUL=0」を含む干渉抑圧制御信号を送信して（処理６１３）、処理６０２のＵＬ干渉レベル測定に戻ってよい。
【０１３５】
これにより、干渉源被疑セル９００での目標ＳＩＲの補正処理が停止され、干渉源被疑セル９００が過度な目標ＳＩＲの補正を行なうことを抑制できる。したがって、ＵＬの干渉レベルが第１の閾値ＴＨ１以下に下がり、処理６０５による目標ＳＩＲの補正指示が有効であったと判断できる場合であっても、干渉源被疑セル９００がＵＥに対して過剰な送信電力制御を行なって正常な通信が損なわれることを抑制できる。
【０１３６】
一方、測定したＵＬの干渉レベルが、第１の閾値ＴＨ１以下で、かつ、第２の閾値ＴＨ２以上であれば（処理６１２でＮＯ）、セル補正制御部７０７は、処理６０７のＵＬ干渉レベル測定に戻ってよい。
【０１３７】
第２の閾値ＴＨ２を用いた判定処理は、過度な補正は干渉源セルの正常通信に影響与える可能性があるため、目標ＳＩＲの補正を間接的に抑止するための処理である。
【０１３８】
上述した処理６０５〜処理６１３は、被干渉セル７００に対する干渉源セル９００を特定するための処理と捉えてよい。したがって、被干渉セル７００は、処理６０３〜処理６１３を繰り返し実施することで、干渉源セル９００の検出確率を向上することができる。
【０１３９】
以上のように、上述した実施形態によれば、異なる周波数を用いるセル間の高調波干渉条件を考慮して、干渉源被疑セル９００がＵＬ通信のＴＰＣに用いる目標ＳＩＲを動的に補正することで、セル間のＵＬ通信における高調波成分による干渉を抑圧できる。
【０１４０】
例えば、ＬＴＥ−Ａｄｖａｎｃｅｄに準拠した無線ネットワークにおいて、近隣セル間の中心周波数が整数倍の関係にあり、高調波成分によるセル間干渉が生じ得る場合でも、目標ＳＩＲの動的制御によって、高調波成分によるセル間干渉の軽減が期待できる。
【０１４１】
したがって、無線ネットワーク構成の自由度を向上でき、既存セルの近隣に追加のセルを配置し易くなる。例えば、異なる中心周波数及びセル半径を有する複数のセルを近隣に設置したり、異なるセル半径のセルをオーバーレイ設置したりすることが容易になる。よって、無線ネットワークの全体的なスループット向上を図り易くなる。
【０１４２】
また、上述した実施形態によれば、被干渉セルが、周辺セル情報を収集して、セル間の干渉が事前に推定できない状況であっても、干渉抑圧効果が期待できる。
【０１４３】
更に、被干渉セルは、収集した周辺セル情報を基に近隣の干渉源被疑セルをすべてリストアップして、各干渉源被疑セルに対して、干渉抑圧制御信号を順次に送信しながら、干渉抑圧制御の有効性、別言すると、被干渉セルでの干渉低減効果を判定、確認する。したがって、干渉原因の特定が難しい場合であっても、干渉軽減効果が期待できる。
【０１４４】
また、被干渉セルは、被干渉セルの帯域と干渉源被疑セルの高調波成分帯域との重複量、各セルのセル半径、及び、高調波成分の次数Ｎに基づいて、リストアップした干渉源被疑セルを被干渉セルに対する干渉発生確率が高いと推定される順序に優先度付けする。そして、被干渉セルは、当該優先度の順序で、干渉源被疑セルに対する目標ＳＩＲの変更制御を実施するから、早期の干渉軽減効果が期待できる。
【０１４５】
更に、目標ＳＩＲの補正指示を受けた干渉源被疑セルは、当該干渉源被疑セルに位置するＵＥのすべてに対してＴＰＣコマンドを送信して、ＵＬの送信電力を変更させるから、例えば、被干渉セルに対して最も大きな干渉を与えているＵＥを特定しなくてよい。したがって、簡易な制御で干渉軽減効果を得ることができる。
【０１４６】
また、被干渉セルは、干渉源被疑セルに対する干渉抑圧制御が有効でないと判定した場合、当該干渉源被疑セルに対して、干渉抑圧制御によって変更された目標ＳＩＲを変更前の値に戻す制御を実施する。したがって、干渉抑圧制御が干渉源被疑セルでの通信に与える影響を最小限に抑えることができる。
【０１４７】
更に、被干渉セルは、干渉源被疑セルに対する干渉抑圧制御の有効性が確認できた場合であっても、既述の閾値ＴＨ２を用いた判定によって、過度な干渉抑圧制御を抑止できる。したがって、過度な干渉抑圧制御によって干渉源被疑セルでの正常な通信が損なわれることを回避又は抑制できる。
【０１４８】
（第１実施例）
次に、以下では、被干渉セル７００での干渉源被疑セルテーブルの具体的な生成処理を含む第１実施例について説明する。
【０１４９】
図９は、被干渉セル７００における干渉被疑テーブルの生成処理例を示すフローチャートであり、図１０は、第１実施例に係る無線通信システム１の構成例を示すブロック図である。
【０１５０】
図１０には、５つのセルＡ〜Ｅのうち、セルＢでのＵＬ通信のＮ次高調波成分がセルＡでのＵＬ通信に干渉し得る例を示している。つまり、セルＢは、セルＡに対する干渉源セルに相当し、セルＡは、被干渉セルに相当する。
【０１５１】
例えば、ＵＥ＃１〜ＵＥ＃４のうち、セルＢ内に位置するＵＥ＃２〜＃４のＵＬ通信でのＮ次高調波成分が、セルＡ内に位置するＵＥ＃１のＵＬ通信に干渉し得るケースを想定する。ただし、セルＢに限らず、セルＢ〜Ｅのすべてが、セルＡの干渉源被疑セルに相当してよい。
【０１５２】
また、図１０に例示するように、セルＡ，Ｃ及びＥは、基地局（Ｃ−ＢＢＵ）２０４Ａに収容され、セルＢ及びＤは、基地局２０４Ａとは異なる基地局（Ｃ−ＢＢＵ）２０４Ｂに収容されていると仮定する。基地局２０４Ａ及び２０４Ｂは、例えばＸ２インタフェースを通じて互いに通信可能である。
【０１５３】
また、セルＢのセル半径は、セルＡのセル半径よりも大きいと仮定する。セル半径が大きいほど、ＵＬの平均送信電力も大きくなる傾向にあるから、セルＢ内に位置するＵＥ＃２〜＃４のＵＬの平均送信電力は、セルＡ内に位置するＵＥ＃１のＵＬの平均送信電力よりも大きい。
【０１５４】
この場合、ＵＥ＃２〜ＵＥ＃４のＵＬ送信電力が減少しても、ＵＥ＃２〜ＵＥ＃４のいずれかのＵＬ送信でのＮ次高調波成分が、セルＡにおけるＵＥ＃１のＵＬ送信に干渉し易い状況である。
【０１５５】
以上の仮定において、被干渉セルＡは、図９に例示するように、例えばセルＢ〜Ｅそれぞれの中心周波数及び帯域幅に関する情報を周辺セル情報として収集してよい（処理１００１及び処理１００２）。
【０１５６】
ここで、セルＣ及びＤは、被干渉セルＡと同じ基地局２０４Ａに収容されているから、被干渉セルＡは、セルＣ及びＤについての周辺セル情報を基地局２０４Ａから受信できる（処理１００１）。
【０１５７】
一方、セルＢ及びＤは、被干渉セルＡとは異なる基地局２０４Ｂに収容されているため、被干渉セルＡは、セルＢ及びＤについての周辺セル情報を、Ｘ２インタフェース経由の基地局間通信を介して基地局２０Ａから受信できる（処理１００２）。
【０１５８】
なお、セルＡの中心周波数及び帯域幅は、それぞれ、３．５ＧＨｚ及び１０ＭＨｚであると仮定する。また、セルＢ〜Ｅそれぞれの中心周波数及び帯域幅は、例えば図１１に例示する値であると仮定する。
【０１５９】
図１１に例示する干渉源被疑セルテーブルの内容は、図７に例示した内容と同一であり、優先度付けがなされていない状態である。なお、被干渉セルＡの周辺セル情報収集部７０６は、収集した周辺セル情報のうち、前掲の数式１で表わされる高調波干渉条件を満たす周辺セル情報のすべてを干渉源被疑セルテーブルに登録、保存してよい。第１実施例では、図１１に例示するように、セルＢ〜Ｅのすべてが干渉源被疑セルであると仮定している。
【０１６０】
図９に例示するように、被干渉セルＡは、収集した周辺セル情報を基に、例えばセル補正制御部７０７によって、セルＡの帯域と、周辺セルＢ〜ＥのいずれかのＮ次高調波成分の帯域と、に重複が有るか否かを判定してよい（処理１００３）。
【０１６１】
図１２（Ａ）〜図１２（Ｃ）に、セルＡの帯域と、周辺セルＢ〜ＥのいずれかのＮ次高調波成分の帯域と、が重複する態様の例を模式的に示す。
【０１６２】
図１２（Ａ）は、セルＡの帯域に、例えば周辺セルＢの２次高調波成分の帯域が含まれる例を示している。
【０１６３】
図１２（Ｂ）は、セルＡの帯域と、周辺セルＢの２次高調波成分の帯域と、が低周波数側で部分的に重複する例を示している。
【０１６４】
図１２（Ｃ）は、セルＡの帯域と、周辺セルＢの２次高調波成分の帯域と、が高周波数側で部分的に重複する例を示している。
【０１６５】
セル補正制御部７０７は、図１２（Ａ）〜図１２（Ｃ）に例示したような帯域重複が無いと判定した場合（処理１００３でＮＯ）、重複が無いと判定した周辺セルの情報を、干渉源被疑セルテーブルから除外してよい（処理１００４）。
【０１６６】
その後、セル補正制御部７０７は、干渉源被疑セルテーブルにおいて処理すべき次のセルが有るか否かをチェックしてよい（処理１００５）。
【０１６７】
処理すべき次のセルが有れば（処理１００５でＹＥＳ）、セル補正制御部７０７は、処理対象セルを次のセルに変更して（処理１００６）、処理１００３の帯域重複判定に戻ってよい。
【０１６８】
処理すべき次のセルが無ければ（処理１００５でＮＯ）、セル補正制御部７０７は、処理を終了してよい。
【０１６９】
一方、セル補正制御部７０７は、図１２（Ａ）〜図１２（Ｃ）に例示したような帯域重複が有ると判定した場合（処理１００３でＹＥＳ）、被干渉セルＡの帯域幅と、干渉源被疑セルのＮ次高調波成分の帯域幅と、の重複量を求めてよい（処理１００７）。
【０１７０】
帯域幅の重複量（「重複度」と称してもよい。）を求める理由は、被干渉セルの帯域と、干渉源被疑セルのＮ次高調波成分の帯域と、の重複量が大きいほど、干渉の発生確率が高くなるからである。
【０１７１】
帯域幅の重複量は、例えばＢＷ（ａｙ）で表されてよい。「ａ」は被干渉セルのＩＤを示し、「ｙ」は干渉源被疑セルのＩＤを示す。
【０１７２】
例えば、セル補正制御部７０７は、被干渉セルＡの帯域幅ＢＷ（ａ）を、以下の数式２によって求める。なお、Δ（ａ）は、セルＩＤ（又はセクタＩＤ）＝「ａ」のセルの帯域幅を表す。便宜的に、セルＡ〜ＥのＩＤは、それぞれ、「Ａ」〜「Ｅ」で表すものとする。
【０１７３】
【数２】
2018014566.tif 000004
【０１７４】
また、セル補正制御部７０７は、干渉源被疑セル（例えばｙ＝Ｂ）の帯域幅ＢＷ（Ｂ）を、以下の数式３によって求める。
【数３】
2018014566.tif 000005
【０１７５】
そして、セル補正制御部７０７は、例えば、以下の数式４〜６のいずれかによって、重複量ＢＷ（ａｙ）を求める。なお、数式４は図１２（Ａ）に例示したケースに相当し、数式５は図１２（Ｂ）に例示したケースに相当し、数式６は図１２（Ｃ）に例示したケースに相当する。
【０１７６】
【数４】
2018014566.tif 000006
【０１７７】
【数５】
2018014566.tif 000007
【０１７８】
【数６】
2018014566.tif 000008
【０１７９】
第１実施例での計算結果は、以下のようになる。
ＢＷ（ＡＢ）＝１０［ＭＨｚ］
ＢＷ（ＡＣ）＝５［ＭＨｚ］
ＢＷ（ＡＤ）＝３［ＭＨｚ］
ＢＷ（ＡＥ）＝８［ＭＨｚ］
【０１８０】
次いで、セル補正制御部７０７は、図９に例示するように、干渉源被疑セルのセル半径ｒ（ｙ）を求めてよい（処理１００８）。セル半径を求める理由は、干渉源被疑セルのセル半径が大きいほど、ＵＬの平均送信電力も高い傾向にあるため、Ｎ次高調波成分減衰後の平均電力も高い傾向にあり、干渉発生確率が高い傾向にあると云えるからである。
【０１８１】
第１実施例において、干渉源被疑セルであるセルＢ〜Ｅそれぞれのセル半径は、下記であると仮定する。ただし、単位は１００ｍである。
【０１８２】
セルＢのセル半径ｒ（Ｂ）＝３
セルＣのセル半径ｒ（Ｃ）＝５
セルＤのセル半径ｒ（Ｄ）＝６
セルＥのセル半径ｒ（Ｅ）＝８
【０１８３】
また、セル補正制御部７０７は、干渉源被疑セル毎に、Ｎ次高調波成分の次数「Ｎ」の値を求めてよい。次数「Ｎ」の値を求める理由は、Ｎ次高調波成分の「Ｎ」が大きいほど、干渉の程度が小さいと云えるからである。
【０１８４】
第１実施例において、干渉源被疑セルＢ〜Ｅについての次数Ｎ（Ｂ）〜Ｎ（Ｅ）は、下記であると仮定する。
【０１８５】
Ｎ（Ｂ）＝２
Ｎ（Ｃ）＝２
Ｎ（Ｄ）＝２
Ｎ（Ｅ）＝２
【０１８６】
次いで、セル補正制御部７０７は、上述した処理１００７及び処理１００８にて求めたパラメータを基に、下記の数式７によって、干渉被疑セル毎の制御優先度を決定するパラメータ「ｎｕｍ（ｙ）」を求めてよい（処理１００９）。
【０１８７】
【数７】
2018014566.tif 000009
【０１８８】
第１実施例において、数式７による計算は、以下のようになる。
ｎｕｍ（Ｂ）＝（ＢＷ（ＡＢ）＋ｒ（Ｂ））÷Ｎ（Ｂ）＝（１０＋３）÷２＝６．５
ｎｕｍ（Ｃ）＝（ＢＷ（ＡＣ）＋ｒ（Ｃ））÷Ｎ（Ｃ）＝（５＋５）÷２＝５
ｎｕｍ（Ｄ）＝（ＢＷ（ＡＤ）＋ｒ（Ｄ））÷Ｎ（Ｄ）＝（３＋６）÷２＝４．５
ｎｕｍ（Ｅ）＝（ＢＷ（ＡＥ）＋ｒ（Ｅ））÷Ｎ（Ｅ）＝（８＋８）÷２＝８
【０１８９】
「ｎｕｍ（ｙ）」の値が大きいほど制御優先度が高いものとすれば、干渉源被疑セルＢ〜Ｅの制御優先度は、セルＥ、セルＢ、セルＣ、及び、セルＤの順序になる。したがって、セル補正制御部７０７は、図１１に例示した干渉源被疑セルテーブルの内容を、図１３に例示するように、制御優先度に従った順序にソートしてよい（処理１０１０）。
【０１９０】
ここで、図６に例示した処理６０３において、被干渉セルＡのセル補正制御部７０７が、被干渉セルＡのＵＬ干渉レベルが閾値ＴＨ１を超えていることを検出したとする。この場合、セル補正制御部７０７は、図６の処理６０５〜処理６１１を、セルＥ、セルＢ、セルＣ、及び、セルＤの順序で繰り返すことで、干渉源被疑セルＢ〜Ｅに対する干渉抑圧制御を繰り返す。
【０１９１】
セル補正制御部７０７は、セルＢに対する干渉抑圧制御の後、被干渉セルＡのＵＬ干渉レベルが閾値ＴＨ１以下で、かつ、閾値ＴＨ２よりも小さくなれば（処理６０８でＮＯかつ処理６１２でＹＥＳ）、高調波成分による干渉が抑圧されたと判定してよい。当該判定に応じて、セル補正制御部７０７は、ＵＬ制御フラグ「FlagCntUL=0」を干渉源被疑セルＢ宛に送信してよい（処理６１３）。
【０１９２】
なお、セル補正制御部７０７は、ソート処理１０１０の後、干渉源被疑セルテーブルにおいて処理すべき次のセルが有るか否かをチェックしてよい（処理１０１１）。
【０１９３】
処理すべき次のセルが有れば（処理１０１１でＹＥＳ）、セル補正制御部７０７は、処理対象セルを次のセルに変更して（処理１０１２）、処理１００３の帯域重複判定に戻ってよい。
【０１９４】
処理すべき次のセルが無ければ（処理１０１１でＮＯ）、セル補正制御部７０７は、処理を終了してよい。
【０１９５】
（第２実施例）
次に、図１４〜図１７を参照して、第２実施例について説明する。図１４は、第２実施例に係る無線通信システム１の構成例を示すブロック図である。
【０１９６】
図１４には、５つのセルＡ〜Ｅのうち、セルＡがセルＢにオーバーレイ配置された例を示している。また、図１４には、セルＢでのＵＬ通信のＮ次高調波成分が、セルＡでのＵＬ通信に干渉し得る例を示している。つまり、セルＢは、セルＡに対する干渉源セルに相当し、セルＡは、被干渉セルに相当する。
【０１９７】
例えば、ＵＥ＃１〜ＵＥ＃４のうち、セルＢ内に位置するＵＥ＃２〜＃４のＵＬ通信でのＮ次高調波成分が、セルＡ内に位置するＵＥ＃１のＵＬ通信に干渉し得るケースを想定する。ただし、セルＢに限らず、セルＢ〜Ｅのすべてが、セルＡの干渉源被疑セルに相当してよい。
【０１９８】
また、図１４に例示するように、セルＡ〜Ｅは、いずれも同じ基地局（Ｃ−ＢＢＵ）２０４に収容されていると仮定する。
【０１９９】
更に、セルＡがセルＢにオーバーレイ配置されているから、セルＢのセル半径は、セルＡのセル半径よりも大きい。そのため、セルＢ内に位置するＵＥ＃２〜＃４のＵＬの平均送信電力は、セルＡ内に位置するＵＥ＃１のＵＬの平均送信電力よりも大きい。
【０２００】
この場合、ＵＥ＃２〜ＵＥ＃４のＵＬ送信電力が減少しても、ＵＥ＃２〜ＵＥ＃４のいずれかのＵＬ送信でのＮ次高調波成分が、セルＡにおけるＵＥ＃１のＵＬ送信に干渉し易い状況である。
【０２０１】
以上の仮定において、被干渉セルＡは、図９に例示したように、例えばセルＢ〜Ｅそれぞれの中心周波数及び帯域幅に関する情報を周辺セル情報として収集してよい。
【０２０２】
ただし、セルＢ〜Ｅは、いずれも被干渉セルＡと同じ基地局２０４に収容されているから、被干渉セルＡは、セルＢ〜Ｅについての周辺セル情報を基地局２０４から受信できる（処理１００１）。
【０２０３】
そのため、第２実施例において、図９に例示したＸ２インタフェースを通じた周辺セル情報の収集処理１００２は、スキップされてよい。あるいは、第２実施例において図９の処理１００２は削除されてもよい。
【０２０４】
なお、セルＡの中心周波数及び帯域幅は、それぞれ、１．７ＧＨｚ及び１０ＭＨｚであると仮定する。また、セルＢ〜Ｅそれぞれの中心周波数及び帯域幅は、例えば図１５に例示する値であると仮定する。
【０２０５】
図１５に例示する干渉源被疑セルテーブルの内容は、優先度付けがなされていない状態である。被干渉セルＡの周辺セル情報収集部７０６は、収集した周辺セル情報のうち、前掲の数式１で表わされる高調波干渉条件を満たす周辺セル情報のすべてを干渉源被疑セルテーブルに登録、保存してよい。第２実施例では、図１５に例示するように、セルＢ〜Ｅのすべてが干渉源被疑セルであると仮定している。
【０２０６】
周辺セル情報の収集後、被干渉セルＡは、第１実施例と同様にして、図９に例示した処理１００３〜処理１０１２を実施してよい。
【０２０７】
例えば、被干渉セルＡのセル補正制御部７０７は、周辺セル情報を基に、セルＡの帯域と、周辺セルＢ〜ＥのいずれかのＮ次高調波成分の帯域と、に重複が有るか否かを判定してよい（処理１００３）。
【０２０８】
図１６（Ａ）〜図１６（Ｃ）に、セルＡの帯域と、周辺セルＢ〜ＥのいずれかのＮ次高調波成分の帯域と、が重複する態様の例を模式的に示す。
【０２０９】
図１６（Ａ）は、セルＡの帯域に、例えば周辺セルＢの２次高調波成分の帯域が含まれる例を示している。
【０２１０】
図１６（Ｂ）は、セルＡの帯域と、周辺セルＢの２次高調波成分の帯域と、が低周波数側で部分的に重複する例を示している。
【０２１１】
図１６（Ｃ）は、セルＡの帯域と、周辺セルＢの２次高調波成分の帯域と、が高周波数側で部分的に重複する例を示している。
【０２１２】
セル補正制御部７０７は、図１６（Ａ）〜図１６（Ｃ）に例示したような帯域重複が無いと判定した場合（図９の処理１００３でＮＯ）、重複が無いと判定した周辺セルの情報を、干渉源被疑セルテーブルから除外してよい（処理１００４）。
【０２１３】
一方、セル補正制御部７０７は、帯域重複が有ると判定した場合（処理１００３でＹＥＳ）、第１実施例と同様にして、被干渉セルＡの帯域幅と、干渉源被疑セルのＮ次高調波成分の帯域幅と、の重複量ＢＷ（ａｙ）を求めてよい（処理１００７）。
【０２１４】
例えば、第２実施例において、干渉源被疑セルＢ〜Ｅ毎の被干渉セルＡに対する重複量ＢＷ（ａｙ）は、第１実施例において前掲の数式２〜６によって、以下のように求められる。
【０２１５】
ＢＷ（ＡＢ）＝１０［ＭＨｚ］
ＢＷ（ＡＣ）＝３［ＭＨｚ］
ＢＷ（ＡＤ）＝５［ＭＨｚ］
ＢＷ（ＡＥ）＝１０［ＭＨｚ］
【０２１６】
次いで、セル補正制御部７０７は、図９に例示したように、干渉源被疑セルのセル半径ｒ（ｙ）を求めてよい（処理１００８）。第２実施例において、干渉源被疑セルであるセルＢ〜Ｅそれぞれのセル半径は、下記であると仮定する。ただし、第１実施例と同じく、単位は１００ｍである。
【０２１７】
セルＢのセル半径ｒ（Ｂ）＝５
セルＣのセル半径ｒ（Ｃ）＝３
セルＤのセル半径ｒ（Ｄ）＝８
セルＥのセル半径ｒ（Ｅ）＝６
【０２１８】
また、セル補正制御部７０７は、干渉源被疑セル毎に、Ｎ次高調波成分の次数「Ｎ」の値を求めてよい。第２実施例において、干渉源被疑セルＢ〜Ｅについての次数Ｎ（Ｂ）〜Ｎ（Ｅ）は、下記であると仮定する。
【０２１９】
Ｎ（Ｂ）＝２
Ｎ（Ｃ）＝２
Ｎ（Ｄ）＝２
Ｎ（Ｅ）＝２
【０２２０】
次いで、セル補正制御部７０７は、上述した処理１００７及び処理１００８にて求めたパラメータを基に、前掲の数式７によって、干渉被疑セル毎の制御優先度を決定するパラメータ「ｎｕｍ（ｙ）」を求めてよい（処理１００９）。
【０２２１】
第２実施例において、数式７による計算は、以下のようになる。
ｎｕｍ（Ｂ）＝（ＢＷ（ＡＢ）＋ｒ（Ｂ））÷Ｎ（Ｂ）＝（１０＋５）÷２＝７．５
ｎｕｍ（Ｃ）＝（ＢＷ（ＡＣ）＋ｒ（Ｃ））÷Ｎ（Ｃ）＝（３＋３）÷２＝３
ｎｕｍ（Ｄ）＝（ＢＷ（ＡＤ）＋ｒ（Ｄ））÷Ｎ（Ｄ）＝（５＋８）÷２＝６．５
ｎｕｍ（Ｅ）＝（ＢＷ（ＡＥ）＋ｒ（Ｅ））÷Ｎ（Ｅ）＝（１０＋６）÷２＝８
【０２２２】
「ｎｕｍ（ｙ）」の値が大きいほど制御優先度が高いものとすれば、干渉源被疑セルＢ〜Ｅの制御優先度は、セルＥ、セルＢ、セルＤ、及び、セルＣの順序になる。したがって、セル補正制御部７０７は、図１５に例示した干渉源被疑セルテーブルの内容を、図１７に例示するように、制御優先度に従った順序にソートしてよい（処理１０１０）。
【０２２３】
ここで、図６に例示した処理６０３において、被干渉セルＡのセル補正制御部７０７が、被干渉セルＡのＵＬ干渉レベルが閾値ＴＨ１を超えていることを検出したとする。この場合、セル補正制御部７０７は、図６の処理６０５〜処理６１１を、セルＥ、セルＢ、セルＤ、及び、セルＣの順序で繰り返すことで、干渉源被疑セルＢ〜Ｅに対する干渉抑圧制御を繰り返す。
【０２２４】
セル補正制御部７０７は、セルＢに対する干渉抑圧制御の後、被干渉セルＡのＵＬ干渉レベルが閾値ＴＨ１以下で、かつ、閾値ＴＨ２よりも小さくなれば（処理６０８でＮＯかつ処理６１２でＹＥＳ）、高調波成分による干渉が抑圧されたと判定してよい。当該判定に応じて、セル補正制御部７０７は、ＵＬ制御フラグ「FlagCntUL=0」を干渉源被疑セルＢ宛に送信してよい（処理６１３）。
【０２２５】
なお、第２実施例において、セルＢ〜Ｅと、セルＢにオーバーレイ配置されたセルＡと、の中心周波数の関係は、第１実施例（図７）と同じであってもよい。例えば、干渉源被疑セルＢの中心周波数は１．６９ＧＨｚであり、被干渉セルＡの中心周波数は、３．５ＧＨｚであっても、第２実施例は適用可能である。
【０２２６】
（Ｃ−ＢＢＵのハードウェア構成例）
図１８に、基地局（Ｃ−ＢＢＵ）２０４のハードウェア構成例を示す。なお、図１０に例示したＣ−ＢＢＵ２０４Ａ及び２０４Ｂも、図１８に例示するハードウェア構成であってよい。
【０２２７】
図１８に例示するように、Ｃ−ＢＢＵ２０４は、制御部１１０１、ＲＦインタフェース（ＩＦ）部１１０２、ベースバンド（ＢＢ）処理部１１０３、伝送路ＩＦ部１１０４、タイミング制御部１１０５、及び、電源部１１０６を備えてよい。ＲＦインタフェース部１１０２は、張り出し基地局の数に対応した数だけＣ−ＢＢＵ２０４に備えられてよい。
【０２２８】
制御部１１０１は、Ｃ−ＢＢＵ２０４の動作を制御し、ＣＰＵ（central processing unit）１１１１と、メモリ１１１２と、を用いて構成されてよい。
【０２２９】
メモリ１１１２は、不揮発性記憶媒体及び揮発性記憶媒体の一方又は双方を含んでよい。メモリ１１１２は、ＣＰＵ１１１１によって実行される各種のプログラムやプログラム実行時に使用されるデータの記憶領域、及び、ＣＰＵ１１１１の作業領域として使用されてよい。
【０２３０】
ＣＰＵ１１１１が、Ｃ−ＢＢＵ２０４としての各種機能を実現するプログラムをメモリ１１１２から読み出して実行することにより、Ｃ−ＢＢＵ２０４としての機能が具現される。なお、メモリ１１１２に、既述の近隣セルリストが記憶されてよい。
【０２３１】
ＲＦインタフェース部１１０２は、Ｃ−ＢＢＵ２０４とＲＲＨ２０５や２０６（図２参照）との間の接続を提供する。当該接続に光ケーブルが用いられる場合、ＲＦインタフェース部１１０２は、双方向の光電変換装置として機能するために、電気−光変換（Ｅ／Ｏ）モジュール１１２１と、光−電気変換（Ｏ／Ｅ）モジュール１１２２と、を備えてよい。
【０２３２】
ＢＢ処理部１１０３は、例示的に、ＤＳＰ（digital signal processor）１１３１、ＦＰＧＡ（field programmable gate array）１１３２、及び、メモリ１１３３を用いて構成されてよい。
【０２３３】
ＤＳＰ１１３１及びＦＰＧＡ１１３２によって、複数種類のベースバンド信号処理が分散的に実行されてよい。
【０２３４】
メモリ１１３３は、揮発性記憶媒体及び不揮発性記憶媒体の一方又は双方を含んでよい。メモリ１１３３は、ＤＳＰ１１３１やＦＰＧＡ１１３２によって実行される各種のプログラム、プログラムの実行時に使用されるデータの記憶領域、及び、ＤＳＰ１１３１やＦＰＧＡ１１３２の作業領域として使用されてよい。
【０２３５】
伝送路ＩＦ部１１０４は、例示的に、ＭＭＥやＳＧＷ、ＰＧＷ、他の基地局等との接続インタフェース（例えば、Ｓ１インタフェースやＸ２インタフェース）を提供する。例えば、伝送路ＩＦ部１１０４は、レイヤ２スイッチ（Ｌ２  ＳＷ）１１４１を実現する電子回路を用いて構成されてよい。
【０２３６】
タイミング制御部１１０５は、例示的に、Ｃ−ＢＢＵ２０４の動作タイミングを制御する。他のＣ−ＢＢＵ２０４等の装置とのタイミング同期をとるために、タイミング制御部１１０５には、ＧＰＳ（global positioning system）受信機１１５１が備えられてよい。
【０２３７】
電源部１１０６は、Ｃ−ＢＢＵ２０４の各部１１０１〜１１０５に電力を供給する。
【０２３８】
（張り出し基地局のハードウェア構成例）
図１９は、張り出し基地局（ＲＲＨ）２０５（図２参照）のハードウェア構成例を示すブロック図である。なお、図２に例示した張り出し基地局２０６も、図１９に例示するハードウェア構成であってよい。
【０２３９】
図１９に示すように、ＲＲＨ２０５は、例示的に、制御部２１０１、ＲＦ部２１０２、ＢＢ処理部２１０３、ＲＦ  ＩＦ部２１０４、及び、電源部２１０６を備えてよい。
【０２４０】
制御部２１０１は、ＲＲＨ２０５の動作を制御し、ＣＰＵ２１１１と、メモリ２１１２と、を用いて構成されてよい。
【０２４１】
メモリ２１１２は、不揮発性記憶媒体及び揮発性記憶媒体の一方又は双方を含んでよい。メモリ２１１２は、ＣＰＵ２１１１によって実行される各種のプログラムやプログラム実行時に使用されるデータの記憶領域、及び、ＣＰＵ２１１１の作業領域として使用されてよい。
【０２４２】
ＣＰＵ２１１１が、ＲＲＨ２０５としての各種機能を実現するプログラムをメモリ２１１２から読み出して実行することにより、ＲＲＨ２０５としての機能が具現される。
【０２４３】
図４に例示した無線リソース割当部７０５、周辺セル情報収集部７０６、セル補正制御部７０７、及び、セル内干渉監視部７０８を含むブロックが、制御部２１０１に対応してよい。また、図５に例示した無線リソース割当部９０５、ＴＰＣコマンド計算部９０６、及び、セル補正制御部９０７を含むブロックが、制御部２１０１に対応してよい。
【０２４４】
したがって、既述の近隣セルリスト、干渉源被疑テーブル、閾値ＴＨ１及びＴＨ２、並びに、目標ＳＩＲの補正値ＳＩＲｒｅｆ等が、制御部２１０１のメモリ２１１２に記憶されてよい。
【０２４５】
ＲＦ部２１０２は、ＵＥとＤＬ及びＵＬの無線通信を行なう。図４に例示したＲＦ送受信部７０１、アンテナ７０９及びアンテナ共用器７１０を含むブロックが、ＲＦ部２１０２に対応してよい。また、図５に例示したＲＦ送受信部９０１、アンテナ９０９及びアンテナ共用器９１０を含むブロックが、ＲＦ部２１０２に対応してよい。
【０２４６】
ＢＢ処理部２１０３は、例示的に、ＤＳＰ２１３１、ＦＰＧＡ２１３２、及び、メモリ２１３３を用いて構成されてよい。
【０２４７】
ＤＳＰ２１３１及びＦＰＧＡ２１３２によって、複数種類のベースバンド信号処理が分散的に実行されてよい。
【０２４８】
メモリ２１３３は、揮発性記憶媒体及び不揮発性記憶媒体の一方又は双方を含んでよい。メモリ２１３３は、ＤＳＰ２１３１やＦＰＧＡ２１３２によって実行される各種のプログラム、プログラムの実行時に使用されるデータの記憶領域、及び、ＤＳＰ２１３１やＦＰＧＡ２１３２の作業領域として使用されてよい。
【０２４９】
図４に例示した送信部７０２及び受信部７０３を含むブロックが、ＢＢ処理部２１０３に対応してよい。また、図５に例示した送信部９０２及び受信部９０３を含むブロックが、ＢＢ処理部２１０３に対応してよい。
【０２５０】
ＲＦ  ＩＦ部２１０４は、Ｃ−ＢＢＵ２０４（あるいは２０４Ａ又は２０４Ｂ）との接続を提供する。当該接続に光ケーブルが用いられる場合、ＲＦ  ＩＦ部１１０２は、双方向の光電変換装置として機能するために、Ｅ／Ｏモジュール２１２１と、Ｏ／Ｅモジュール２１２２と、を備えてよい。
【０２５１】
図４に例示したネットワーク終端部７０４、及び、図５に例示したネットワーク終端部９０４が、ＲＦ  ＩＦ部２１０４に対応してよい。
【０２５２】
電源部２１０６は、ＲＲＨ２０５の各部２１０１〜２１０４に電力を供給する。
【符号の説明】
【０２５３】
１  無線ネットワーク（無線通信システム）
１０１  マクロセル
１０２〜１０５  スモールセル
２０１  インターネット
２０２  コアネットワーク
２０３  無線アクセスネットワーク（基地局装置）
２０４，２０４Ａ，２０４Ｂ  基地局本体（Ｃ−ＢＢＵ）
２０５，２０６  張り出し基地局（ＲＲＨ）
２０７，２０８  ＵＥ
７００  張り出し基地局（被干渉セル）
７０１  無線（ＲＦ）送受信部
７０２  送信部
７０３  受信部
７０４  ネットワーク終端部
７０５  無線リソース割当部
７０６  周辺セル情報収集部
７０７  セル補正制御部
７０８  セル内干渉監視部
７０９  アンテナ
７１０  アンテナ共用器
９００  張り出し基地局（干渉源セル）
９０１  ＲＦ送受信部
９０２  送信部
９０３  受信部
９０４  ネットワーク終端部
９０５  無線リソース割当部
９０６  ＴＰＣコマンド計算部
９０７  セル補正制御部
９０９  アンテナ
９１０  アンテナ共用器
１１０１  制御部
１１１１  ＣＰＵ
１１１２  メモリ
１１０２  ＲＦインタフェース（ＩＦ）部
１１２１  Ｅ／Ｏモジュール
１１２２  Ｏ／Ｅモジュール
１１０３  ベースバンド（ＢＢ）処理部
１１３１  ＤＳＰ
１１３２  ＦＰＧＡ
１１３３  メモリ
１１０４  伝送路ＩＦ部
１１４１  レイヤ２スイッチ（Ｌ２  ＳＷ）
１１０５  タイミング制御部
１１５１  ＧＰＳ受信機
１１０６  電源部
２１０１  制御部
２１１１  ＣＰＵ
２１１２  メモリ
２１０２  ＲＦ部
２１０３  ＢＢ処理部
２１３１  ＤＳＰ
２１３２  ＦＰＧＡ
２１３３  メモリ
２１０４  ＲＦ  ＩＦ部
２１４１  Ｅ／Ｏモジュール
２１４２  Ｏ／Ｅモジュール
２１０６  電源部
【図１】
2018014566.tif 000010
【図２】
2018014566.tif 000011
【図３】
2018014566.tif 000012
【図４】
2018014566.tif 000013
【図５】
2018014566.tif 000014
【図６】
2018014566.tif 000015
【図７】
2018014566.tif 000016
【図８】
2018014566.tif 000017
【図９】
2018014566.tif 000018
【図１０】
2018014566.tif 000019
【図１１】
2018014566.tif 000020
【図１２】
2018014566.tif 000021
【図１３】
2018014566.tif 000022
【図１４】
2018014566.tif 000023
【図１５】
2018014566.tif 000024
【図１６】
2018014566.tif 000025
【図１７】
2018014566.tif 000026
【図１８】
2018014566.tif 000027
【図１９】
2018014566.tif 000028